(57)【要約】【課題】  移動体における放送出力の切り替えノイズの発生を抑制する移動体用デジタル放送受信装置を提供することにある。【解決手段】  固定向けデジタル放送と移動体向けデジタル放送とが同じ番組を放送するサイマル放送である状況において、固定向けデジタル放送の受信状況に応じて、出力部２０から出力させる放送を固定向けデジタル放送と移動体向けデジタル放送とで切り替える。また、車両が放送を受信するうえでの受信電波環境を予測する。そして、その予測される受信電波環境に応じて、出力放送を固定向けデジタル放送と移動体向けデジタル放送とで切り替えるための切替判定しきい値を変更する。【選択図】  図２
2006254056.tif 000002
【特許請求の範囲】
【請求項１】
移動体に搭載され、固定向けデジタル放送を受信する固定向け放送受信手段と、移動体向けデジタル放送を受信する移動体向け放送受信手段と、出力手段から出力させる放送を前記固定向け放送受信手段により受信される固定向けデジタル放送と前記移動体向け放送受信手段により受信される移動体向けデジタル放送とで選択的に切り替える出力切替手段と、を備える移動体用デジタル放送受信装置であって、
移動体における受信電波環境を予測する電波環境予測手段と、
前記電波環境予測手段により予測された前記受信電波環境に応じて、前記出力切替手段による出力放送の切り替えを行うための切替判定しきい値を変更する切替判定しきい値変更手段と、
を備えることを特徴とする移動体用デジタル放送受信装置。
【請求項２】
前記電波環境予測手段は、地図情報に基づいて移動体の現在位置が電波変動の比較的大きい地域であるか否かを検出することにより、前記受信電波環境を予測すると共に、
前記切替判定しきい値変更手段は、前記電波環境予測手段により移動体の現在位置が電波変動の比較的大きい地域であることが検出される場合に、前記切替判定しきい値を移動体向けデジタル放送が出力され易くなるように変更することを特徴とする請求項１記載の移動体用デジタル放送受信装置。
【請求項３】
前記電波環境予測手段は、移動体に搭載された該移動体の周辺を撮影する撮影手段の撮像画像に基づいて移動体の現在位置が電波変動の比較的大きい地域であるか否かを検出することにより、前記受信電波環境を予測すると共に、
前記切替判定しきい値変更手段は、前記電波環境予測手段により移動体の現在位置が電波変動の比較的大きい地域であることが検出される場合に、前記切替判定しきい値を移動体向けデジタル放送が出力され易くなるように変更することを特徴とする請求項１記載の移動体用デジタル放送受信装置。
【請求項４】
前記電波環境予測手段は、移動体の移動状態を検出することにより前記受信電波環境を予測すると共に、
前記切替判定しきい値変更手段は、前記電波環境予測手段により検出される移動体の移動状態に応じて、前記切替判定しきい値を変更することを特徴とする請求項１記載の移動体用デジタル放送受信装置。
【請求項５】
前記切替判定しきい値は、固定向けデジタル放送から移動体向けデジタル放送へ切り替えるためのものと、移動体向けデジタル放送から固定向けデジタル放送へ切り替えるためのものとで異なることを特徴とする請求項１乃至４の何れか一項記載の移動体用デジタル放送受信装置。
【請求項６】
移動体は車両であることを特徴とする請求項１乃至５の何れか一項記載の移動体用デジタル放送受信装置。
【発明の詳細な説明】
【技術分野】
【０００１】
本発明は、移動体用デジタル放送受信装置に係り、特に、固定向けデジタル放送と移動体向けデジタル放送とを適宜選択して利用者に対して出力するうえで好適な移動体用デジタル放送受信装置に関する。
【背景技術】
【０００２】
従来から、車両などの移動体に搭載され、地上波デジタルテレビジョン放送としての、鮮明画像の提供が可能な高ビットレートの固定向け放送と、移動体での受信に適した低ビットレートの移動体向け放送と、を共に受信し得るデジタル放送受信装置が知られている（例えば、特許文献１参照）。
【０００３】
移動体向け放送は、固定向け放送に比べて解像度が粗いため、相対的に映像・音声の質の低下を招かざるを得ない。一方、固定向け放送は、映像・音声の質を極めて高く保つことはできるが、移動によるフェージングの影響により受信電力の変動が激しく、また、移動体向け放送に比べて非受信となる受信レベルが高いため、移動体の移動中における受信に対して不向きである。そこで、上記従来の受信装置においては、移動速度や環境などの状況によっては移動体でも相対的に高品位の固定向け放送を受信できる可能性があることを考慮して、同一時間に同一番組を放送するサイマル放送が行われる状況で、受信・出力する放送が固定向け放送と移動体向け放送とで適宜選択的に切り替わるようにしている。
【０００４】
そして、かかる構成において、放送出力の切り替えは、固定向け放送の受信状況（ビットエラー率；ＢＥＲ等）を検出したうえで、その検出値が固定向け放送を適切に受信可能なしきい値以上であるか否かに基づいて行われる。具体的には、固定向け放送の受信状況に関する検出値がしきい値以上であるときは固定向け放送が出力されるように、一方、その検出値がしきい値未満であるときは移動体向け放送が出力されるように実行される。従って、上記した受信装置によれば、移動体で放送出力を適切に行える機会を長期間にわたって継続しつつ、できるだけ高品質の放送を利用者に対して出力することが可能となる。
【特許文献１】特開２００４−１６６１７３号公報
【発明の開示】
【発明が解決しようとする課題】
【０００５】
ところで、移動体がビルの谷間や高架等を通過するときには受信状況の変動が大きくなるため、切替判定しきい値を一定に固定したまま上記したデジタル放送受信装置の如く受信状況に応じて放送出力の切り替えを行うものとすると、固定向け放送と移動体向け放送とが頻繁に切り替わる事態が生じ、その結果として、かかる切り替えによるノイズによって、放送を視聴する利用者に不快な印象を与えかねない。
【０００６】
本発明は、上述の点に鑑みてなされたものであり、移動体での放送出力の切り替えノイズの発生を抑制する移動体用デジタル放送受信装置を提供することを目的とする。
【課題を解決するための手段】
【０００７】
上記の目的は、移動体に搭載され、固定向けデジタル放送を受信する固定向け放送受信手段と、移動体向けデジタル放送を受信する移動体向け放送受信手段と、出力手段から出力させる放送を前記固定向け放送受信手段により受信される固定向けデジタル放送と前記移動体向け放送受信手段により受信される移動体向けデジタル放送とで選択的に切り替える出力切替手段と、を備える移動体用デジタル放送受信装置であって、移動体における受信電波環境を予測する電波環境予測手段と、前記電波環境予測手段により予測された前記受信電波環境に応じて、前記出力切替手段による出力放送の切り替えを行うための切替判定しきい値を変更する切替判定しきい値変更手段と、を備える移動体用デジタル放送受信装置により達成される。
【０００８】
この態様の発明において、出力手段から出力させる放送を固定向けデジタル放送と移動体向けデジタル放送とで選択的に切り替えるための切替判定しきい値は、移動体における受信電波環境に応じて変更される。このため、受信電波環境に対応させて固定向けデジタル放送と移動体向けデジタル放送とを切り替えし易くしたり或いは切り替えし難くすることが可能となるので、その結果として、移動体における放送出力の頻繁な切り替えノイズの発生を抑制することができる。
【０００９】
この場合、上記した移動体用デジタル放送受信装置において、前記電波環境予測手段は、地図情報に基づいて移動体の現在位置が電波変動の比較的大きい地域であるか否かを検出することにより、前記受信電波環境を予測すると共に、前記切替判定しきい値変更手段は、前記電波環境予測手段により移動体の現在位置が電波変動の比較的大きい地域であることが検出される場合に、前記切替判定しきい値を移動体向けデジタル放送が出力され易くなるように変更することとすれば、電波変動の比較的大きい地域で移動体向けデジタル放送が出力され易くなるので、利用者への放送出力を確保しつつその放送出力の頻繁な切り替えを抑制することができる。
【００１０】
また、上記した移動体用デジタル放送受信装置において、前記電波環境予測手段は、移動体に搭載された該移動体の周辺を撮影する撮影手段の撮像画像に基づいて移動体の現在位置が電波変動の比較的大きい地域であるか否かを検出することにより、前記受信電波環境を予測すると共に、前記切替判定しきい値変更手段は、前記電波環境予測手段により移動体の現在位置が電波変動の比較的大きい地域であることが検出される場合に、前記切替判定しきい値を移動体向けデジタル放送が出力され易くなるように変更することとしても同様の効果を得ることができる。
【００１１】
更に、上記した移動体用デジタル放送受信装置において、前記電波環境予測手段は、移動体の移動状態を検出することにより前記受信電波環境を予測すると共に、前記切替判定しきい値変更手段は、前記電波環境予測手段により検出される移動体の移動状態に応じて、前記切替判定しきい値を変更することとしてもよい。一般的に電波変動は車両が高速走行であるほど大きくなるため、車両の移動状態が高移動速度である場合に切替判定しきい値を移動体向けデジタル放送が出力され易くなるように変更すれば、利用者への放送出力を確保しつつその放送出力の頻繁な切り替えを抑制することが可能となる。
【００１２】
尚、上記した移動体用デジタル放送受信装置において、記切替判定しきい値は、固定向けデジタル放送から移動体向けデジタル放送へ切り替えるためのものと、移動体向けデジタル放送から固定向けデジタル放送へ切り替えるためのものとで異なることとすれば、切替判定しきい値にヒステリシスが設けられることとなるため、その切り替えがしきい値近傍で頻繁に行われるのを回避することが可能となり、その結果、利用者の放送出力の切り替えによる違和感を軽減することが可能となる。
【００１３】
また、上記した移動体用デジタル放送受信装置において、移動体は車両であることとすればよい。
【発明の効果】
【００１４】
上記した発明によれば、移動体における放送出力の切り替えノイズの発生を抑制することができる。
【発明を実施するための最良の形態】
【００１５】
以下、図面を用いて、本発明を実施するうえでの具体的な実施形態について説明する。図１は、本発明の第１実施例である移動体用デジタル放送受信装置１０のシステム構成図を示す。本実施例の移動体用デジタル放送受信装置１０は、例えば車両に搭載されており、各放送局から中継局等を介して送信される地上波デジタルテレビジョン（ＴＶ）放送を受信するための装置である。
【００１６】
この地上波デジタルＴＶ放送は、少なくとも、例えばＭＰＥＧ２規格によって圧縮された高ビットレートの固定向けの放送（以下、固定向けデジタル放送と称す）と、例えばＭＰＥＧ４規格によって圧縮された低ビットレートの移動体向けの放送（以下、移動体向けデジタル放送と称す）と、によりなっている。固定向けデジタル放送は、高ビットレートのため、映像・音声の質が極めて優れているのに対して、移動体向けデジタル放送は、低ビットレートのため、映像・音声の質が相対的に劣ったものとなっている。一方、固定向けデジタル放送は、高ビットレートに起因して移動時にフェージングの影響を受け易くまた非受信となる受信レベルが高いため、移動体の移動中における受信に対して不向きであるのに対して、移動体向けデジタル放送は、低ビットレートのため、移動体での受信に適している。
【００１７】
図１に示す如く、移動体用デジタル受信放送装置１０は、地上波デジタルＴＶ放送の放送波を受信するための、アンテナ１２と、アンテナ１２に接続されたフロントエンド部１４と、フロントエンド部１４に接続されたＯＦＤＭ（Orthogonal Frequency Division Multiplexing；直交波周波数分割多重）復調部１６と、ＯＦＤＭ復調部１６に後述の切替制御部を介して接続されたデコード部１８と、を備えている。アンテナ１２、フロントエンド部１４、及びＯＦＤＭ復調部１６は、固定向けデジタル放送と移動体向けデジタル放送とで共用されるように構成されている。
【００１８】
フロントエンド部１４は、選局されたチャンネルのチャンネル周波数に同調し、アンテナ１２に受信された放送波を中間周波数に変換し増幅する機能を有している。フロントエンド部１４は、また、中間周波数の信号レベルを検出し、その信号レベルに基づいてアンテナ１２に受信される放送波のレベル変化（受信電界強度）を検出する機能をも有している。
【００１９】
ＯＦＤＭ復調部１６は、フロントエンド部１４の出力する放送信号の復調・復号を行う部位であり、放送信号を同期しながら復調し、誤り検出及び訂正を行った後に復号したトランスポートストリーム（Transport Stream：ＴＳ）をデコード部１８へ向けて出力する。ＯＦＤＭ復調部１６は、また、ＴＳのパケットエラーの有無からその発生率を測定し、或いは、誤り訂正前後のビットエラー率（ＢＥＲ）を検出する。
【００２０】
デコード部１８は、上記した地上波デジタルＴＶ放送のうち固定向けデジタル放送に関する放送信号をデコードする固定向けデジタル放送デコード部１８ａと、移動体向けデジタル放送に関する放送信号をデコードする移動体向けデジタル放送デコード部１８ｂと、を有している。両デコード部１８ａ，１８ｂは共に、ＯＦＤＭ復調部１６から送られたＴＳを映像・音声信号に変換する部位であり、また、有料放送などの暗号化されたＴＳを所定の暗号キーを用いて解読する部位でもある。
【００２１】
デコード部１８には、出力部２０が接続されている。デコード部１８は、ＴＳを変換して得られた映像・音声信号を出力部２０へ出力する。出力部２０には、デコード部１８から出力された映像・音声信号が入力される。出力部２０は、車両に乗車する乗員に視聴可能なディスプレイやスピーカを制御する部位を有しており、デコード部１８から入力された映像・音声信号を映像としてディスプレイに表示したり或いは音声としてスピーカから出力する。
【００２２】
また、フロントエンド部１４及びＯＦＤＭ復調部１６には、受信状況判定部２２が接続されている。フロントエンド部１４は、自己で検出した放送波の受信電界強度の検出結果を放送波の受信状況データとして受信状況判定部２２へ出力する。また、ＯＦＤＭ復調部１６は、自己で検出したＴＳパケットエラーの発生率やＢＥＲなどの検出結果を放送波の受信状況データとして受信状況判定部２２へ出力する。受信状況判定部２２は、フロントエンド部１４から得られる受信電界強度やＯＦＤＭ復調部１６から得られるＢＥＲ等に基づいて、特に固定向けデジタル放送の放送波に関する受信状況の良否を示す程度（度合い）、例えば、単位時間当たりにおける音声・映像を正常に出力する期間（累計）の割合（受信率）や受信電力，ＢＥＲ自体等を判定する。
【００２３】
上記したＯＦＤＭ復調部１６とデコード部１８との間には、切替制御部２４が介在されている。切替制御部２４は、アンテナ１２で受信された固定向けデジタル放送と移動体向けデジタル放送との何れの放送波をデコード部１８でデコードして出力部２０から出力させるかを切り替えるための部位である。切替制御部２４には、上記した受信状況判定部２２が接続されており、その受信状況判定部２２で判定された放送波の受信状況の判定結果が供給される。切替制御部２４は、受信状況判定部２２から供給される放送波（特に固定向けデジタル放送の放送波）の受信状況に基づいて、固定向けデジタル放送の受信を適切に行うことができるか否かを判定し、出力部２０から何れの放送波を出力させるべきかを判定する。そして、固定向けデジタル放送と移動体向けデジタル放送との何れか一方の放送波のデコードを許可して出力部２０からの出力を許可する処理を行う。
【００２４】
また、切替制御部２４には、番組種類判定部２６が接続されている。番組種類判定部２６は、放送の番組の種類（例えば、歌番組やスポーツ番組，主に風景を映す番組などの別）を判定すると共に、固定向けデジタル放送と移動体向けデジタル放送とが同じ時間に同じ番組を放送するサイマル放送であるか否かを判定する。
【００２５】
尚、この判定に際しては、ＯＦＤＭ復調部１６にて認識される伝送多重制御信号（Transmission
and Multiplexing Configuration Control ；ＴＭＣＣ）情報を用いることとしてもよい。このＴＭＣＣ情報には、地上波デジタルＴＶ放送の送信局側で独自に設定可能な情報項目が存在するため、その情報項目に、その放送時点での、固定向けデジタル放送と移動体向けデジタル放送とがサイマル放送を実施しているか否かを示す情報（サイマル放送有無情報）を設定しておく。又は、放送内容と共に送られる放送番組の種類を示す情報（番組種類情報；ＥＰＧ（Electric Program Guide）等）やインターネットを経由した番組情報を入手しておく。そして、番組種類判定部２６は、ＯＦＤＭ復調部１６にて認識され出力されるＴＭＣＣ情報、或いは、ＥＰＧやインターネットから取得した固定向けデジタル放送と移動体向けデジタル放送との番組情報に基づいてサイマル放送の有無を判定する。番組種類判定部２６におけるサイマル放送有無の判定結果は、上記した切替制御部２４に供給される。切替制御部２４は、番組種類判定部２６から供給される判定結果に基づいて、サイマル放送の有無を検知する。
【００２６】
切替制御部２４には、更に、受信電波環境予測部２８が接続されている。この受信電波環境予測部２８は、車両が現に放送を受信するうえで置かれている受信電波環境を予測する部位である。尚、予測される受信電波環境は、良と不良との２段階的なものに限らず、３段階以上に区別されることとしてもよい。このような受信電波環境を予測する手法としては、車両の現在位置や周囲状況，その移動速度等を用いることが考えられる。
【００２７】
具体的には、一般的に、受信電波環境は受信の場所ごとに異なる。例えば、大きな建物が比較的多くてその密度の高い都市部ではマルチパスの影響により電波変動が大きくなり、一方、大きな建物があまり多くなくその密度の低い郊外部では都市部に比べて電波変動があまり大きくない。そこで、受信電波環境予測部２８は、車両の有するＧＰＳ受信機等を用いて或いは情報センタのＧＰＳ受信機等から入手することにより車両の現在位置を検出する機能を有すると共に、実験的に求めた或いは実測した位置や地域ごとに生じ得る電波変動レベルを道路地図に対応させて予めメモリに地図情報として格納しておき、検出される車両の現在位置をその地図情報と対比することによりその位置での電波変動レベルを検出して現状の受信電波環境を予測することとしてもよい。
【００２８】
また、受信電波環境予測部２８は、車両に搭載された車両周辺を撮影するカメラを有すると共に、実験的に求めたカメラの撮像画像から認識できる車両周辺の建物や高架橋，看板などの周辺状況と生じ得る電波変動レベルとの関係を予めメモリに格納しておき、カメラの撮像画像から車両周辺の建物に関する大きさや車両からの距離等の存在状況を認識して、その認識結果に基づいてその位置での電波変動レベルを検出して現状の受信電波環境を予測することとしてもよい。
【００２９】
また、一般的に、受信電波環境は、電波を受信する移動体の移動速度に応じて異なる。例えば、移動速度が高くなるほど電波変動が大きくなる。そこで、受信電波環境予測部２８は、車両の移動速度を検出する機能を有すると共に、実験的に求めた車両の移動速度と生じ得る電波変動レベルとの関係を予めメモリに格納しておき、検出された車両の移動速度から電波変動レベルを検出して現状の受信電波環境を予測することとしてもよい。
【００３０】
受信電波環境予測部２８における予測結果は、切替制御部２４に供給される。切替制御部２４は、後に詳述する如く、受信電波環境予測部２８から供給される予測結果に基づいて、固定向けデジタル放送の受信が可能であるか否かを判定するための切替判定しきい値を設定・変更する。そして、その設定した切替判定しきい値を用いて上記した放送波の受信状況に基づく放送出力の判定を行う。
【００３１】
以下、本実施例の移動体用デジタル放送受信装置１０の動作について説明する。
【００３２】
固定向けデジタル放送と移動体向けデジタル放送とがサイマル放送を行っているとき、移動体に搭載された移動体用デジタル放送受信装置１０は、固定向けデジタル放送及び移動体向けデジタル放送の何れの放送をも受信することができる。移動体向けデジタル放送は、低ビットレートのため、映像・音声の質が相対的に劣ったものとなるが、電波が弱くなっても受信することができるので、移動体での受信に適している。一方、固定向けデジタル放送は、高ビットレートに起因して移動によるフェージングの影響を受け易くなりまた電波が弱くなると受信し難くなるので、移動体での受信に不向きであるが、映像・音声の質が極めて優れたものとなる。
【００３３】
本実施例の移動体用デジタル放送受信装置１０において、番組種類判定部２６は、固定向けデジタル放送と移動体向けデジタル放送とでサイマル放送が行われているか否かを判定する。そして、番組種類判定部２６にてサイマル放送が行われていると判定される状況では、切替制御部２４は、原則として固定向けデジタル放送を受信して出力部２０から出力させる処理を実行する一方、その放送出力が行われている際に受信状況判定部２２にて判定される受信状況に基づいてその固定向けデジタル放送の受信が適切に行えず困難となったと判定した場合は、移動体向けデジタル放送を受信して出力部２０から出力させる処理を実行する。また、移動体向けデジタル放送の出力が行われている際に受信状況判定部２２にて判定される受信状況に基づいて固定向けデジタル放送の受信が適切に行える状態に復帰したと判定した場合は、再びその固定向けデジタル放送を受信して出力部２０から出力させる処理を実行する。
【００３４】
かかる処理によれば、サイマル放送が行われている状況下、固定向けデジタル放送の受信が適切に行われるときは、相対的に高品質の固定向けデジタル放送を受信して車両の利用者へ向けて出力し、一方、その固定向けデジタル放送の受信が適切に行われず困難であるときは、車両での受信に適した移動体向けデジタル放送を受信して利用者へ向けて出力することとなる。このため、車両での地上波デジタルＴＶ放送の受信に関し、車両での放送出力を利用者に違和感を与えない程度の品質で適切に行える機会を長期間にわたって確保しつつ、できるだけより高品質の固定向けデジタル放送を利用者に提供することが可能となる。
【００３５】
また、上記の構成によれば、サイマル放送が行われている際には、利用者への放送出力を、固定向けデジタル放送の受信状況に応じて自動的に固定向けデジタル放送と移動体向けデジタル放送とで選択的に切り替えつつ行うこととなるため、車両の移動に伴う状況変化（フェージングや建物等による影響）が生じても、同一番組をある程度高い品質に保持して利用者に対して映像・音声の質について一定以上の満足感を与えつつ継続して提供することが可能となる。
【００３６】
ところで、放送の受信状況は、車両がビルの谷間や高架等を通過する際に大きく変動する。このため、仮に固定向けデジタル放送と移動体向けデジタル放送とのサイマル放送が行われている状況で、放送出力の両者間での切り替えを行うための切替判定しきい値が固定されたままその切り替えが行われるものとすると、固定向けデジタル放送と移動体向けデジタル放送とが頻繁に切り替わる事態が生じ、その結果として、かかる切り替えによるノイズによって、放送を視聴する利用者が不快な印象を抱くこととなりかねない。
【００３７】
そこで、本実施例の移動体向けデジタル放送受信装置１０においては、かかる不都合の発生を回避すべく、固定向けデジタル放送と移動体向けデジタル放送とでの放送出力の切り替えを行うための切替判定しきい値を、受信電波環境に応じて変更し得ることとしている。以下、本実施例の特徴部について説明する。
【００３８】
本実施例において、受信電波環境予測部２８は、上述した手法に従って、車両が現に放送を受信するのに置かれている受信電波環境（電波変動レベル）を予測する。そして、その予測した受信電波環境の情報を切替制御部２４に供給する。切替制御部２４は、受信電波環境ごとに、その環境と上記の切替判定しきい値との関係を規定したマップを有している。このマップは、例えば、電波変動が生じ易い環境ではその切替判定しきい値を移動体向けデジタル放送が出力され易くなるように比較的低く設定し、一方、電波変動が生じ難い環境ではその切替判定しきい値を移動体向けデジタル放送が出力され難くなるように比較的高く設定したものとなる。尚、この切替判定しきい値は、高と低との２段階的なものに限らず、３段階以上に設定されるものとしてもよい。
【００３９】
切替制御部２４は、受信電波環境予測部２８から供給される予測受信電波環境を上記したマップと比較することによって、その受信電波環境に適した切替判定しきい値を設定する。そして、その設定された切替判定しきい値を基準として、受信状況判定部２２にて判定される受信状況から固定向けデジタル放送の受信が適切に行えるか否かを判定して、出力部２０から何れの放送を出力させるべきかを判定し、固定向けデジタル放送と移動体向けデジタル放送との何れか一方の放送波に対応するデコード部１８でのデコードを許可して出力部２０からの出力を許可する。
【００４０】
図２は、上記の機能を実現すべく、本実施例の移動体用デジタル放送受信装置１０において実行される制御ルーチンの一例のフローチャートを示す。図２に示すルーチンは、その処理が終了するごとに繰り返し起動されるルーチンである。図２に示すルーチンが起動されると、まずステップ１００の処理が実行される。
【００４１】
ステップ１００では、番組種類判定部２６にて、利用者の選局操作に従って選局されたチャンネルの放送波に対し固定向けデジタル放送と移動体向けデジタル放送との番組情報からサイマル放送が実施されているか否かが判別される。その結果、固定向けデジタル放送と移動体向けデジタル放送とでサイマル放送が実施されていないと判別される場合は、固定向けデジタル放送と移動体向けデジタル放送とで放送出力の切り替えを行うことは不可能であるので、次にステップ１０２の処理が実行される。ステップ１０２では、選局操作によるチャンネル切替やサイマル放送が行われている地域内への移動体の移動等によってサイマル放送が実施されることとなるまで放送出力の切り替えを待機させる処理が実行される。
【００４２】
一方、上記ステップ１００においてサイマル放送が実施されていると判別される場合は、固定向けデジタル放送と移動体向けデジタル放送とで同一番組の放送出力の切り替えを行うことが可能となるので、次にステップ１０４の処理が実行される。ステップ１０４では、切替制御部２４にて、受信電波環境予測部２８から供給される予測された車両における受信電波環境に基づいて、予め規定されたマップを参照することにより、その受信電波環境に適した切替判定しきい値を設定する処理が実行される。
【００４３】
ステップ１０６では、切替制御部２４にて、上記ステップ１０４で設定された切替判定しきい値を基準として、受信状況判定部２２にて判定される固定向けデジタル放送の受信状況を比較することにより、固定向けデジタル放送の受信が適切に行えるか否かが判別される。その結果、受信状況が上記ステップ１０４で設定された切替判定しきい値を基準にして良好側となり、固定向けデジタル放送の受信が適切に行えると判別される場合は、次にステップ１０８の処理が実行される。一方、受信状況が上記の切替判定しきい値を基準にして劣化側となり、固定向けデジタル放送の受信が適切に行えず困難であると判別される場合は、次にステップ１１０の処理が実行される。
【００４４】
ステップ１０８では、相対的に高品質の固定向けデジタル放送のデコード部１８でのデコードが許可され、固定向けデジタル放送の受信処理が行われる。かかる処理が行われると、以後、固定向けデジタル放送の出力部２０からの出力が可能となる。一方、ステップ１１０では、固定向けデジタル放送よりも相対的に品質は劣るが移動体での受信に適した移動体向けデジタル放送のデコード部１８でのデコードが許可され、移動体向けデジタル放送の受信処理が行われる。かかる処理が行われると、以後、移動体向けデジタル放送の出力部２０からの出力が可能となる。
【００４５】
ステップ１１２では、サイマル放送が実施されている状況下、上記ステップ１０８又は１１０で固定向けデジタル放送と移動体向けデジタル放送との何れか一方の放送波が選択された後、電波環境が変化する程度の一定時間や選局チャンネルの変更が行われ得る一定時間が経過するまで待機する処理が実行される。
【００４６】
そして、ステップ１１４では、上記ステップ１１２の処理での一定時間が経過した後、実際に選局チャンネルの変更やチャンネルは同じでも従前からの番組種類の変更が生じているか否かが判別される。その結果、かかる変更が生じていないと判別される場合は、再び上記ステップ１０４の処理が実行されて車両の受信電波環境の監視が行われ、一方、上記の変更が生じていると判別される場合は、今回のルーチンは終了される。
【００４７】
上記図２に示すルーチンによれば、固定向けデジタル放送と移動体向けデジタル放送とでサイマル放送が実施される放送番組が視聴される際、受信状況に基づいて固定向けデジタル放送と移動体向けデジタル放送とで放送出力の切り替えを行ううえで必要な切替判定しきい値を、その車両の置かれていると予測される受信電波環境に応じて適宜設定・変更することができる。受信電波の変動が比較的生じ易いと予測される地域や車両の移動状態では、移動体向けデジタル放送が出力され易くなるように設定され、一方，受信電波の変動が比較的生じ難いと予測される地域や車両の移動状態では、移動体向けデジタル放送が出力され難くなるように設定される。
【００４８】
このように、本実施例によれば、受信状況に基づく放送出力の自動切り替えを、予測される受信電波環境に対応させて、移動体向けデジタル放送から固定向けデジタル放送への切り替えが行われ難くかつ固定向けデジタル放送から移動体向けデジタル放送への切り替えが行われ易くなるようにすることが可能となるので、その結果として、受信可能な電波レベルが大きく変動する際にも、利用者への放送出力をできるだけ確保しつつ移動体である車両における放送出力の頻繁な切り替えノイズの発生を抑制することができる。従って、本実施例の移動体用デジタル放送受信装置１０によれば、放送を視聴する利用者の映像・音声の質に関する満足度の低下をできるだけ抑制させることができ、その満足度を高く維持させることが可能となっている。
【００４９】
尚、上記の実施例においては、出力部２０が特許請求の範囲に記載した「出力手段」に相当していると共に、移動体用デジタル放送受信装置１０が、地上波デジタルＴＶ放送のうち固定向けデジタル放送を受信することにより特許請求の範囲に記載した「固定向け放送受信手段」が、地上波デジタルＴＶ放送のうち移動体向けデジタル放送を受信することにより特許請求の範囲に記載した「移動体向け放送受信手段」が、上記図２に示すルーチン中ステップ１０６の処理後に切替制御部２４にてステップ１０８，１１０の処理を実行することにより特許請求の範囲に記載した「出力切替手段」が、受信電波環境予測部２８にて車両が置かれている受信電波環境を予測することにより特許請求の範囲に記載した「電波環境予測手段」が、切替制御部２４にてステップ１０４の処理を実行することにより特許請求の範囲に記載した「切替判定しきい値変更手段」が、それぞれ実現されている。
【００５０】
ところで、上記の実施例においては、車両が走行する際にも固定向けデジタル放送又は移動体向けデジタル放送が選択的に出力部２０から出力されるが、その出力部２０のディスプレイが車両運転者に視認されるディスプレイであるときには、車両走行時はそのディスプレイへの映像表示を規制することとしてもよい。但し、この場合においても、車両走行時にスピーカから放送音声が出力されることとなるので、音声の途切れ等が生ずることはなく、常に安定した音声出力が確保されることとなる。
【００５１】
また、上記の実施例においては、固定向けデジタル放送と移動体向けデジタル放送との切り替えのための切替判定しきい値をいわゆるヒステリシスを設けるものとはしていないが、ヒステリシスを設けることとしてもよい。すなわち、切替判定しきい値を固定向けデジタル放送から移動体向けデジタル放送への切り替え時と移動体向けデジタル放送から固定向けデジタル放送への切り替え時とで常に例えば受信率９０％に固定設定していると、実際の受信状況が受信率８５％〜９５％を変移する際に、頻繁に放送出力が切り替わる事態が生ずるが、かかる現象を防止するため、切替判定しきい値を固定向けデジタル放送から移動体向けデジタル放送への切り替えるためのものと移動体向けデジタル放送から固定向けデジタル放送への切り替えるためのものとで異ならせ、固定向けデジタル放送から移動体向けデジタル放送への切り替えに関しては例えば８５％に設定し、一方、移動体向けデジタル放送から固定向けデジタル放送への切り替えに関しては例えば９５％に設定することとする。かかる構成によれば、切替判定しきい値に幅のあるヒステリシスが存在することとなるため、放送出力の切り替えがしきい値近傍で頻繁に行われるのを回避することができ、その結果として、放送出力が固定向けデジタル放送と移動体向けデジタル放送とで切り替わり易くなるのを防止でき、それに起因する利用者の違和感を軽減することが可能となる。
【００５２】
また、上記の実施例においては、車両が現に置かれている受信電波環境を予測する手法として、ＧＰＳ受信機を用いて検出される車両の現在位置、カメラを用いて検出される車両の現在位置、又は車両の移動速度を用いることとしているが、それら何れか一ではなく、それらすべてを組み合わせて総合的に車両の受信電波環境を予測することとしてもよい。かかる構成によれば、放送出力の切り替え判定を行うためのしきい値をより最適なものに設定することができ、利用者の映像・音声の質に関する満足度を高く維持させることが可能となる。
【００５３】
更に、上記の実施例においては、移動体用デジタル放送受信装置を搭載する移動体として車両を用いることとしたが、携帯電話，ＰＤＡ等の携帯端末を移動体として適用することとしてもよい。この場合には、移動体としての携帯端末にその絶対位置を検知可能なＧＰＳ機能やを搭載し、或いは、携帯端末に発信機能を持たせたうえで外部サーバに携帯端末からの発信状態に基づいてその位置を検知させ、その外部サーバの検知した位置を携帯端末に送信することにより、携帯端末にその絶対位置を検出させ或いはその絶対位置の時間変化から移動体の移動状態を検出させて、携帯端末の置かれている受信電波環境を予測させることとしてもよい。
【図面の簡単な説明】
【００５４】
【図１】本発明の一実施例である移動体用デジタル放送受信装置のシステム構成図である。
【図２】本実施例の移動体用デジタル放送受信装置において実行される制御ルーチンのフローチャートである。
【符号の説明】
【００５５】
１０  移動体用デジタル放送受信装置
２０  出力部
２２  受信状況判定部
２４  切替制御部
２８  受信電波環境予測部
【図１】
2006254056.tif 000003
【図２】
2006254056.tif 000004